(57)【要約】【課題】ディスク再生装置において、クランパとターンテーブルによるディスクのチャッキングを安定して行う。【解決手段】ディスク再生装置において、ディスクを載置し回転するターンテーブルと、ディスクをターンテーブルに保持するクランパと、クランパを保持するクランパ保持手段を備え、前記クランパは略円筒形で上下に鍔部を備え上部の鍔部は前記略円筒形の最大外径より大径であり、前記クランパ保持手段は前記鍔部を囲み下方に向かって小径となる傾斜面によって前記鍔部を保持する。【選択図】　図１
2004030806.tif 000002
【特許請求の範囲】
【請求項１】
ディスクを載置し回転するターンテーブルと、ディスクをターンテーブルに保持するクランパと、クランパを保持するクランパ保持手段を備え、前記クランパは略円筒形で上下に鍔部を備え上部の鍔部は前記略円筒形の最大外径より大径であり、前記クランパ保持手段は前記鍔部を囲み下方に向かって小径となる傾斜面によって前記鍔部を保持することを特徴とするディスク再生装置。
【発明の詳細な説明】
【０００１】
【発明の属する技術分野】
本発明は、オーディオデータ、ビデオデータ等が記録されたディスクを再生するディスク再生装置に関する。
【０００２】
【従来の技術】
従来のディスク再生装置を図３、図４に示す。
ディスク３は、図示しないディスク搬送機構によって、ターンテーブル４上に載置される。ターンテーブル４は、ディスク３を回転駆動するためのスピンドルモータを備え、ディスク３に記録されたデータを再生するためのピックアップ５とともに支持部６に載置されている。
【０００３】
支持部６は、軸７を回動中心として、ディスク３を再生する場合には上方（矢印Ｂ方向）に、ディスク３の再生を終了する場合には下方に回動されるものである。クランパ１１の下面に磁性体８、ターンテーブル４の上面に磁石９を備え、ディスク３をクランパ１１とターンテーブル４でチャッキングした場合、相互に吸着し位置決めした状態で固着される。
【０００４】
ターンテーブル４の上方には、クランパ１１が、クランパ保持部１２に保持されている。クランパ１１は略円筒形状の上部と下部に鍔部を有する。クランパ保持部１２はクランパ１１の外周を囲む水平面を備え、当該水平面にクランパ１１の上部の鍔部を掛けて保持する。クランパ１１の下部の鍔部は、ディスク３を押える。
クランパ保持部１２に保持されたクランパ１１は、クランパ１１の外周とクランパ保持部１２の内周との間に間隔δ４をもって保持される。このδ４の間隔によって、ディスク再生装置の組み立ての際の、ターンテーブル４の回転軸に対するクランパ１１の回転軸のずれ分δ３を補償し、ディスク３をターンテーブル４とクランパ１１でチャッキングした後ディスク３の回転時にクランパ１１とクランパ保持部１２が接触することを防止していた。
【０００５】
【発明が解決しようとする課題】
ターンテーブル４の回転軸に対するクランパ１１の回転軸のずれ分δ３を許容できる範囲は限界がある。図３に示すように、ディスク３をクランパ１１がチャッキングする前の状態では、クランパ１１は自重でクランパ保持部１２に保持され、クランパ１１の鍔部で吊り下げられた状態になる。
【０００６】
クランパ１１の中心部は、ターンテーブル４の中心凹部と嵌合するピンが突き出した形状をしている。ターンテーブル４の回転軸に対するクランパ１１の回転軸のずれ分δ３及びそれを補償する間隔δ４によって相互の中心が最大（δ３＋δ４）まで大きくずれることがあり、このとき、ピンが中心凹部に入らず、正常にチャッキングできなくなる場合があった。通常、δ３は０．５ｍｍ程度、δ４は０．５ｍｍ程度であり、従って、（δ３＋δ４）は１ｍｍ程度を想定している。
【０００７】
本発明が解決しようとする課題は、ディスク再生装置において、クランパの回転軸とターンテーブルの回転軸のずれを補償するための間隔を取ることなく、小型の構成としながら、正確にクランパを位置決めすることである。
【０００８】
【課題を解決するための手段】
請求項１に記載のディスク再生装置は、ディスクを載置し回転するターンテーブルと、ディスクをターンテーブルに保持するクランパと、クランパを保持するクランパ保持手段を備え、前記クランパは略円筒形で上下に鍔部を備え上部の鍔部は前記略円筒形の最大外径より大径であり、前記クランパ保持手段は前記鍔部を囲み下方に向かって小径となる傾斜面によって前記鍔部を保持するものである。
【０００９】
【発明の実施の形態】
図１は、本発明の一実施例のディスク再生装置の構成の一部であって、クランパとターンテーブルの関係を示す側面断面図である。
ディスク３は、図示しないディスク搬送機構によって、ターンテーブル４上に載置される。ターンテーブル４は、ディスク３を回転駆動するためのスピンドルモータを備え、ディスク３に記録されたデータを再生するためのピックアップ５とともに支持部６に載置されている。支持部６は、軸７を回動中心として、ディスク３を再生する場合には上方（矢印Ａ方向）に、ディスク３の再生を終了する場合には下方に回動されるものである。
【００１０】
ターンテーブル４の上方には、クランパ１が、クランパ保持部２に保持されている。クランパ保持部２はディスク再生装置内で固定されている。クランパ１は略円筒形で、上部と下部に大径の鍔部を有する。クランパ１の下部の鍔部は、ディスク３を押える。クランパ保持部２は、クランパ１上部の鍔部の周囲を囲み下方に向かって小径となる傾斜面を備え、クランパ１上部の鍔部を傾斜面の同径となった位置で吊り下げて保持する。ここで、クランパ１とクランパ保持部２とはガタなく中心に位置決めされている。これにより、ディスク再生装置の組み立ての際の、ターンテーブル４の回転軸に対するクランパ１の回転軸のずれ分δ１を補償することだけを考慮すればよい。ここでδ１は０．５ｍｍ程度である。
【００１１】
ディスク３を再生する場合、支持部６は矢印Ａの方向に回動され、図２に示す状態になる。図２は、本発明の一実施例のディスク再生装置の構成の一部を示す図であって、クランパ１とターンテーブル４によってディスク３がチャッキングされた状態を示す。
ディスク３のチャッキングは、ターンテーブル４の上面に設けた磁石９が、クランパ１の下面に設けた磁性体８に吸着し位置決めした状態で固着されて完了する。
【００１２】
支持部６が矢印Ａ方向に回動すると、ターンテーブル４に載置されたディスク３が上昇し、クランパ１によってチャッキングされ、水平になるまで上昇して停止する。ここで、クランパ１の鍔部は上昇して、クランパ保持部２の傾斜面から離れるので、ディスク３を回転するときに、クランパ１の外周がクランパ保持部２に接触しない。ここで、クランパ１の鍔部は、クランパ保持部２の傾斜面に対して半径方向にδ２の間隔を有する。δ２は１ｍｍ程度である。
【００１３】
本実施例のクランパ保持部２の傾斜面の角度は４５度以上にすれば、クランパ１の自重で水平に保たれやすくなり、位置決めの精度を良くすることができる。
【００１４】
【発明の効果】
本発明のディスク再生装置によれば、小型の構成として、クランパとターンテーブルによるディスクのチャッキングを安定して行うことができる。
【図面の簡単な説明】
【図１】本発明の一実施例のディスク再生装置の構成を示す側面断面図である。
【図２】本発明の一実施例のディスク再生装置の構成を示す側面断面図である。
【図３】従来のディスク再生装置の構成を示す側面断面図である。
【図４】従来のディスク再生装置の構成を示す側面断面図である。
【符号の説明】
１　クランパ
２　クランパ保持部
３　ディスク
４　ターンテーブル
５　ピックアップ
６　支持部
７　軸
８　磁性体
９　磁石
【図１】
2004030806.tif 000003
【図２】
2004030806.tif 000004
【図３】
2004030806.tif 000005
【図４】
2004030806.tif 000006